(57)【要約】      （修正有）【課題】既存の電動ドライバに脱着自在に取り付け、カッタ刃の刃先が楕円運動を行うことで効果的にボードを切断でき、しかも刃先の突出度合いを容易に調節できるボードカッタを提供する。【解決手段】電動ドライバ本体に脱着自在に取り付けて使用するボードカッタであって、ケーシング部２、駆動伝達部３、カッタ刃４及びベースプレート５から成り、駆動伝達部３には、電動ドライバ本体の回転軸に取り付けるためのドリルビット６と、電動ドライバ本体の回転駆動によって、ドリルビットの軸中心に発生する回転運動を、ドリルビットの軸に対して軸をずらした方向に、前後に往復し且つ上下に遥動する楕円運動へと変換する機構とが設けられ、ベースプレートには、カッタ刃の刃先の突出度合いの調節用のアーム長調節機構７が設けられる。【選択図】図２
0003208569.tif 000002
【実用新案登録請求の範囲】
【請求項１】
電動ドライバ本体に脱着自在に取り付けて使用するボードカッタであって、
前記ボードカッタは、ケーシング部と、該ケーシング部に内蔵される駆動伝達部及びカッタ刃と、該ケーシング部に取り付けられるベースプレートから成り、
前記駆動伝達部は、
前記電動ドライバ本体の回転軸に取り付けるためのドリルビットと、
前記電動ドライバ本体の回転駆動によって、前記ドリルビットの軸中心に発生する回転運動を、前記ドリルビットの軸に対して軸をずらした方向に、前後に往復し且つ上下に遥動する楕円運動へと変換する機構とが設けられ、
前記ベースプレートは、
前記カッタ刃の刃先の突出度合いの調節用に、前記ケーシング部の取付アームの長さを調節するアーム長調節機構が設けられた、
ことを特徴とするボードカッタ。
【請求項２】
前記アーム長調節機構は、ダイヤル式又はスライド式であることを特徴とする請求項１に記載のボードカッタ。
【請求項３】
前記ベースプレートは、透明な素材で形成されたことを特徴とする請求項１又は２に記載のボードカッタ。
【請求項４】
前記電動ドライバは、インパクトドライバであることを特徴とする請求項１〜３の何れかに記載のボードカッタ。
【考案の詳細な説明】
【技術分野】
【０００１】
本考案は、建物の建築、改装工事等において、石膏ボード、合板等を切断するための工具に関するものである。
【背景技術】
【０００２】
建物の建築工事等において、作業者が石膏ボードや合板等を切断する機会は多く存在する。例えば、壁に電源コンセントを設けるための矩形状の孔を設ける場合等である。従来、このような石膏ボード等を切断する場合には、電動のナイフカッタが広く用いられてきた（例えば、非特許文献１を参照。）。非特許文献１に開示されているナイフカッタによれば、手動で往復運動を行うことなく、容易に石膏ボード等を切断することが可能である。
しかしながら、上記非特許文献１に開示されているナイフカッタは、切断専用の機器であり、他の用途には使用できないという問題がある。また、最大切断厚さを変更する場合には、その都度、刃を付け替える必要があり、煩雑であるという問題もある。
【０００３】
また、アタッチメントを取り替えることで、様々な用途に利用可能な電動工具が知られている（例えば、非特許文献２を参照。）。
しかしながら、上記非特許文献２に開示されている電動工具を使用するためには、専用の工具本体を使用しなければならず、既存の電動ドライバを使用できるといった利便性は有していない。
【０００４】
また、ドライバ、錐等のアタッチメントを必要に応じて交換できる電動工具が知られている。（特許文献１を参照）。特許文献１に開示されている電動工具では、既存の電動ドライバを利用できるかについては明示されていないが、ドライバとして利用できるものであることから、工具本体については、既存の電動ドライバと同様の構造を有していると考えられる。そのように考えると、既存の電動ドライバを利用できることから、新たに工具本体について入手しなくても、アタッチメントだけを取り替えることで利用でき、利便性が高いといえる。
【０００５】
また、特許文献１に開示されている電動工具では、鋸形状の刃が図示されており、切断が可能なアタッチメントについても開示されている。
しかしながら、ドライバとして利用可能な回転運動を行う電動工具を如何にして往復運動に変換するかについては、開示されていない。また、例えばカッタ刃で石膏ボードを切断するような場合には、単純な往復運動ではなく、カッタ刃が楕円上に弧を描くように移動する必要があるが、その点についても開示されていない。
【先行技術文献】
【特許文献】
【０００６】
【特許文献１】実用新案登録第３１２９７４１号公報
【非特許文献】
【０００７】
【非特許文献１】日立工機株式会社製「14.4V コードレスナイフカッタ CK14DSL」（http://www.hitachi-koki.co.jp/powertools/pro/cutter/ck14dsl/ck14dsl.html）
【非特許文献２】ブラック  アンド  デッカー インク製「ブラック・アンド・デッカー２０１５電動工具カタログ」(http://www.blackanddecker-japan.com/common/ebook/2015_powertool/_SWF_Window.html)
【考案の概要】
【考案が解決しようとする課題】
【０００８】
上記状況に鑑みて、本考案は、既存の電動ドライバに脱着自在に取り付け、カッタ刃の刃先が楕円運動を行うことで効果的にボードを切断でき、しかも刃先の突出度合いを容易に調節できるボードカッタを提供することを目的とする。
【課題を解決するための手段】
【０００９】
上記目的を達成すべく、本考案のボードカッタは、電動ドライバ本体に脱着自在に取り付けて使用するボードカッタであって、ボードカッタは、ケーシング部と、該ケーシング部に内蔵される駆動伝達部及びカッタ刃と、該ケーシング部に取り付けられるベースプレートから成り、駆動伝達部は、電動ドライバ本体の回転軸に取り付けるためのドリルビットと、電動ドライバ本体の回転駆動によって、ドリルビットの軸中心に発生する回転運動を、ドリルビットの軸に対して軸をずらした方向に、前後に往復し且つ上下に遥動する楕円運動へと変換する機構とが設けられ、ベースプレートは、カッタ刃の刃先の突出度合いの調節用に、ケーシング部の取付アームの長さを調節するアーム長調節機構が設けられたことを特徴とする。
【００１０】
ドリルビットに取り付け可能な構成とされ、また、電動ドライバ本体の回転駆動によって発生する回転運動を、ドリルビットの軸方向に対して、前後に往復し且つ上下に遥動する楕円運動へと変換する機構が設けられることにより、既存の電動ドライバに取り付けて使用することが可能となる。ここで、楕円運動へ変換する機構としては、公知のオービタル機構が好適に用いられる。
また、ドリルビットの軸方向で上下にカッタ刃を遥動させると、ドリルビットの軸方向に対して直交する向きに力がかかり、ドリルビットを損傷してしまう。そこで、楕円運動における前後往復の方向が、ドリルビットの軸に対して軸をずらした方向に設けられることで、ドリルビットの損傷を防ぐ構造となっている。
なお、ドリルビットの種類としては、６角軸に限られず、丸軸等でもよい。
また、アーム長調節機構が設けられたことにより、カッタ刃を付け替えることなく、容易にカッタ刃の刃先の突出度合いを調節することができる。
【００１１】
本考案のボードカッタにおいて、アーム長調節機構は、ダイヤル式又はスライド式であることが好ましい。ダイヤル式又はスライド式は、一般的な工具等で多く用いられていることから、誰でも扱いやすく、スムーズな作業が可能となる。
【００１２】
本考案のボードカッタにおいて、ベースプレートは、透明な素材で形成されたことが好ましい。透明な素材で形成されることで、刃先の先端部を確認しながらの作業が可能となり、作業の効率性が図られる。
【００１３】
本考案のボードカッタを取り付けて使用する電動ドライバは、インパクトドライバであることが好ましい。インパクトドライバとは、回転のみの能力を有しているドリルドライバとは異なり、回転と打撃の２つを組み合わせた能力を有している。この打撃の能力によって、カッタ刃の刃先をボードに深く切れ込ませるのである。
【考案の効果】
【００１４】
本考案のボードカッタによれば、既存の電動ドライバに脱着自在に取り付け、カッタ刃の刃先が楕円運動を行うことで効果的にボードを切断でき、しかも刃先の突出度合いを容易に調節できるといった効果を有する。
【図面の簡単な説明】
【００１５】
【図１】実施例１のボードカッタの正面図
【図２】実施例１のボードカッタの使用イメージ図１
【図３】実施例１のボードカッタの外観図であり、（１）は左側面図、（２）は右側面図を示している。
【図４】カッタ刃の軌道イメージ図
【図５】アーム長調節機構の説明図であり、（１）はアーム長を短くした状態、（２）はアーム長を長くした状態を示している。
【図６】実施例１のボードカッタの使用イメージ図２
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、実施例１のボードカッタの正面図を示している。図１に示すように、ボードカッタ１は、ケーシング２、駆動伝達部３、カッタ刃４、ベースプレート５から成り、駆動伝達部３にはドリルビット６が設けられている。また、カッタ刃４は駆動伝達部３と接続されている。ここで、駆動伝達部３としては、公知のオービタル機構が用いられている。
ケーシング２とベースプレート５は、アーム長調節機構７を介して接続されている。アーム長調節機構７は、留め部７ａ及びアーム部７ｂから成り、留め部７ａはケーシング２と接続され、アーム部７ｂはベースプレート５と接続されている。
【００１８】
図２は、実施例１のボードカッタの使用イメージ図を示している。図２に示すように、ボードカッタ１は、インパクトドライバ８に取り付けられている。インパクトドライバ８としては、既存のインパクトドライバを用いることができる。使用する際は、ドリル先端部に設けられたチャック８ｂにドリルビット６を装着し、把持部８ｃを把持した状態でスイッチ８ｄを押下して使用する。
【００１９】
図３は、実施例１のボードカッタの外観図であり、（１）は左側面図、（２）は右側面図を示している。
図３（１）に示すように、ベースプレート５には貫通孔５ａが設けられており、カッタ刃４の摺動が可能となっている。
図３（２）に示すように、アーム長調節機構７は、ケーシング２を挟持するように２つ設けられている。また、ドリルビット６は６角軸のものが用いられている。
【００２０】
図４は、カッタ刃の軌道イメージ図を示している。図４において矢印は、ボードカッタ１の使用時に、カッタ刃４の先端部が動く軌道を示している。図４に示すように、カッタ刃４は石膏ボード９の長手方向に垂直に往復するのではなく、前後の往復、すなわち図４における左右の往復と、上下の遥動が組み合わされた楕円運動が行われる構造となっている。
また、図４に示すように、楕円運動は、ドリルビット６の軸方向と同軸ではない軌道を描いている。これにより、カッタ刃４の刃先やドリルビットを傷めることなく、スムーズに石膏ボード９を切断することができる。
【００２１】
図５は、アーム長調節機構の説明図であり、（１）はアーム長を短くした状態、（２）はアーム長を長くした状態を示している。
図５（１）に示すように、ベースプレート５とケーシング２が密着した状態では、最もアーム長が短くなり、ベースプレート５とカッタ刃４との距離Ｌ１は、長くなる。これに対して、図５（２）に示すように、ケーシング２に設けられた留め部７ａを緩め、ベースプレート５を左方へスライドすると、アーム長が長くなり、ベースプレート５とカッタ刃４との距離Ｌ２は、短くなる。このように、取り付ける刃の種類を替えることなく、アーム長調節機構７を操作するだけで、切断厚さを容易に変更することが可能である。
【００２２】
図６は、実施例１のボードカッタの使用イメージ図を示している。図６に示すように、ここでは図２とは異なり、インパクトドライバ８の把持部８ｃを手前に略９０°持ち上げるようにして、ボードカッタ１を取り付けている。これは既存の電動ドライバのチャックに取り付け可能な仕様としたことで可能となったものであるが、このように取り付けることで、例えば、低い位置に設けられた壁に孔を開けるような場合に、把持部８ｃが邪魔にならず、ボードカッタ１を使用することができる。
【産業上の利用可能性】
【００２３】
本考案は、建物の建築、改装工事等において、石膏ボード、合板等を切断するための工具として有用である。
【符号の説明】
【００２４】
１  ボードカッタ
２  ケーシング
３  駆動伝達部
４  カッタ刃
５  ベースプレート
５ａ  貫通孔
６  ドリルビット
７  アーム長調節機構
７ａ  留め部
７ｂ  アーム部
８  インパクトドライバ
８ａ  ドライバ本体
８ｂ  チャック
８ｃ  把持部
８ｄスイッチ
９  石膏ボード
Ｌ  距離
【図１】
0003208569.tif 000003
【図２】
0003208569.tif 000004
【図３】
0003208569.tif 000005
【図４】
0003208569.tif 000006
【図５】
0003208569.tif 000007
【図６】
0003208569.tif 000008